(57)【要約】【課題】住民にとっては、愛車がいつでもガラス越しに確認できるような身近にある平等な駐車が可能であり、しかも、機能的であり外観も美的になり得る駐車場付き高層マンションを提供する。【解決手段】戸別部屋が段々に高く重なる複数の住居縦列が配置される高層マンションにおいて、左右住居縦列間に縦抜空間と、左右戸別部屋の各共用室とが配置してなり、その縦抜空間に立体駐車場を装備し、各住居室からガラス窓を通して自己の自動車を確認できるように構成したことを特徴とする。【効果】住民にとって、駐車場が隣接して近くにあり近いという利便性と機動性、さらには窓ガラス越しに常に確認できるという安心感を平等に享受することができ、また、駐車場の内蔵形であれば外観的に機械が露骨に見えることがなく、マンションは左右対称の均等美が表現されるため、環境に美的に適合し得るという優れた効果がある。【選択図】    図１
2016216979.tif 000002
【特許請求の範囲】
【請求項１】
戸別部屋が段々に高く重なる複数の住居縦列が配置される高層マンションにおいて、左右住居縦列間に縦抜空間と、左右戸別部屋の各共用室とが配置してなり、その縦抜空間に立体駐車場を装備し、各住居室からガラス窓を通して自己の自動車を確認できるように構成したことを特徴とする駐車場付き高層マンション。
【請求項２】
前記縦抜空間において、立体駐車場は、左右に配列される住居ごとに棚板を配列し、左右間の中間部に各棚板に自動車を受け渡しする垂直搬送機を配設し、各住居に自己の自動車を確認できるように、駐車場との間にガラス窓を設けたことを特徴とする請求項１記載の駐車場付き高層マンション。
【請求項３】
前記縦抜空間において、立体駐車場は、自動車を載せるパレットが左右に段々となるように昇降して格納され、多段式に自動車を格納し得るようにしたことを特徴とする請求項１記載の駐車場付き高層マンション。
【請求項４】
前記縦抜空間に立体駐車場を装備し、前記共用室の縦並びにおいて階段とエレベーターとを具備してなることを特徴とする請求項１，２又は３記載の駐車場付き高層マンション。
【発明の詳細な説明】
【技術分野】
【０００１】
この発明は、昇降式（エレベーター式）立体駐車場を内蔵した駐車場付き高層マンションに関する。
【背景技術】
【０００２】
多数の所帯が入っている高層マンションには広い駐車場が欠かせないので、マンションの地下や近くに広場としての駐車場を設け、線引き等により所帯別に区分けして提供される。
【０００３】
しかしながら、高層マンションであると、殊に近くの広場であっても、往復に距離があって不便であるばかりか、寒暖や風雨等の天候の影響も受けやすい。そこで、最近では、マンションと横づけに一体式（エレベーター式）立体駐車場を設けることが多くなっている。
【発明の概要】
【発明が解決しようとする課題】
【０００４】
前記のような従来の一体式（エレベーター式）立体駐車場であると、高層マンションの片側に脇かかえるように設けていたので、反対側の住民にとっては依然として遠い存在であり問題の解決にはならなく、また、自分の愛車が遠くにある不安感（盗難、車上あらし等）も解消されなかった。また、建築美からみると、高層マンションが左右均等な外観でなくなるだけでなく、立体駐車場が一角に露骨に現れるため、美的バランスに反するという難点があった。さらに、日照に晒される欠点もあった。
【０００５】
この発明は、上記のような実情に鑑みて、住民にとっては、愛車がいつでもガラス越しに確認できるような身近にある平等な駐車が可能であり、しかも、機能的であり外観も美的になり得る駐車場付き高層マンションを提供することを課題とした。
【課題を解決するための手段】
【０００６】
上記の課題を解決するために、この発明は、戸別部屋が段々に高く重なる複数の住居縦列が配置される高層マンションにおいて、左右住居縦列間に縦抜空間と、左右戸別部屋の各共用室とが配置してなり、その縦抜空間に立体駐車場を装備し、各住居室からガラス窓を通して自己の自動車を確認できるように構成したことを特徴とする駐車場付き高層マンションを提供する。
【０００７】
駐車場付き高層マンションを上記のように構成したから、帰宅時には、マンションの入口において駐車形式に従ってボタン操作等で格納手順を踏んでOKの確認を得てから、近くのエレベータ又は階段で自己の戸別部屋に向かい、共用室で降りて隣接部屋に帰宅するが、その時間に自動車は所定の個所に自動的に格納され、又は準備中となる。また、自宅から出掛けるときには、共用室からエレベータで１階におりる。そして、降りてきた自分の自動車に乗って出社等の外出をなし得る。
【発明の効果】
【０００８】
以上説明したように、この発明の駐車場付き高層マンションによれば、住民にとって、駐車場が隣接して近くにあり近いという利便性と機動性、さらには窓ガラス越しに常に確認できるという安心感を平等に享受することができ、また、駐車場の内蔵形であれば外観的に機械が露骨に見えることがなく、マンションは左右対称の均等美が表現されるため、環境に美的に適合し得るという優れた効果がある。
【図面の簡単な説明】
【０００９】
【図１】この発明に係る駐車場付き高層マンションの一例を示す正面図である。
【図２】実施例１による駐車場を仮想高層マンションとの関係で示す正面図である。
【図３】同駐車場のホームポジションおよび管理室等の間取りを示す一階の平面図である。
【図４】同駐車場の格納部および２階以上の住居間取りを示す階上部の平面図である。
【図５】実施例２による駐車場のホームポジションおよび管理室等の間取りを示す一階の平面図である。
【図６】同階上の駐車場格納部および住居間取りを示す平面図である。
【図７】実施例３による駐車場のホームポジションおよび管理室等の間取りを示す一階の平面図である。
【図８】同階上部の駐車場格納部および住居間取りを示す平面図である。
【発明を実施するための形態】
【００１０】
この発明は、複数の戸別部屋４，４、・・が重なる住居縦列Hが配列された高層マンションにおいて実施される。図１は、左右一対において住居縦列H,Hが配列された場合を示し、戸別部屋４，４の間が空間３となりそこに立体駐車場Pが存在する。なお、立体駐車場は、特にその形式を限定するものではなく、例えば下記の如く様々となり得る。
【００１１】
なお、住居縦列H,H間の外面接合形に形成された縦抜空間３の外面はガラス壁１９となっており、ここには美観向上を兼ねてつる草２１が育成されている。また、ソーラパネルを嵌め込んでもよい。その他、適所につる草やソーラパネルが設けられ、なお、この縦抜空間３と、左右戸別部屋の各共用室とが前後に配置してなり、その縦抜空間３に立体駐車場が装備されている。また、縦抜空間３の温度抑制や節電が図られる。図中１は自動車である。
【実施例１】
【００１２】
図２〜図４は、図１の類型の高層マンションMに実施した棚板配列式の実施例を示したもので、入口２を有する一階は、管理室やテナント等の部屋割りで(図３)、自動車のホームポジションとして中央の縦抜空間３で垂直搬送機（フェリーカー）１１の停止位置となっている。ここにおいて、住人が帰宅時に自動車を垂直搬送機１１に格納する一方、近くの制御盤を操作し、自動で各自住居前へ自動車の行き先（自宅横の棚板１５）を指定するなどの手順を済ませてから、階段７又はエレベータ９で自宅に向かう。
【００１３】
２階以上では、縦抜空間３の左右に行き先として戸別部屋４，４、・・ごとに棚板１５，１５、・・が配置されているから（図４）、エレベータ等で帰る時間中に予めセットした通りに自動車が自宅横の棚板１５の位置に運ばれ自動的に棚板１５に移し換えられ、配達が完了すると垂直搬送機１１は帰還する。したがって、部屋４に帰宅すると、自動車が部屋に横づけになっていることもある。
【００１４】
なお、この場合、住人は、エレベータ９から共用室５に降り、そこから自宅の部屋へ入口１７から入り帰宅する。そして自宅では、壁にガラス窓１３が設けられており(図４)、自動車が横づけされていると、自動車の到着を見届けることができ、また、在宅中は常に愛車を見守ることができて安心である。
【００１５】
外出するときには、エレベータ９で一階に降りてからまたは予め、制御盤を操作することにより、垂直搬送機１１を出向かわせて自己の自動車を一階に帰還させる。なお、垂直搬送機１１と棚板１５との間における自動車の遣り取り(受け渡し)については、パレット式，フォーク式などの幾つかの方式を取ることができる。
【実施例２】
【００１６】
次の実施例は、図５および図６に示すもので、多数の循環格納盤１２，１２、・・が数珠つなぎに連結され、巡回可能にタワー１８に支持されており、循環格納盤１２の上に載せた状態で格納されるようになっている。図５は、自動車が一階(ホームポジション)にある状態を示し、図６は２階以上にある格納状態を示す。
【実施例３】
【００１７】
図７および図８は、第三の実施例を示したもので、この場合は、各段において自動車を複数（２〜３）台並列して格納できるようにした。その仕組みから横に入口１７aが設けられる。この場合は、自動車の所有台数が多い住人の要望に応えることができる。
【符号の説明】
【００１８】
M  高層マンション
P  立体駐車場
H  住居縦列
１  自動車
３  縦抜空間
４  戸別部屋
５  共用室
７  階段
９  エレベータ
１１  垂直搬送機
１２  循回格納盤
１３  ガラス窓
１５  棚板
【図１】
2016216979.tif 000003
【図２】
2016216979.tif 000004
【図３】
2016216979.tif 000005
【図４】
2016216979.tif 000006
【図５】
2016216979.tif 000007
【図６】
2016216979.tif 000008
【図７】
2016216979.tif 000009
【図８】
2016216979.tif 000010